【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
表面シートが、その非肌対向面において、該非肌対向面に接する部材と接合されており、
前記表面シートの非肌対向面のうち、該非肌対向面に接する部材と接合されている領域は、該表面シートの幅方向中央域に位置し且つ接合力が相対的に低い中央低接合領域と、該表面シートの幅方向側部域に位置するとともに該中央低接合領域に隣接し且つ接合力が相対的に高い一対の側部高接合領域とを有し、
前記表面シートにスキンケア剤が施されており、
前記中央低接合領域においては、揉み試験評価によって、前記表面シートと、該表面シートに接する部材とが剥離可能になっているとともに、前記側部高接合領域においては同条件の擦過によって前記表面シートと、該表面シートに接する部材とが剥離不能になっている、吸収性物品。
【請求項２】
前記表面シートは、前記中央低接合領域と重なる領域に前記スキンケア剤が施されている、請求項１に記載の吸収性物品。
【請求項３】
前記中央低接合領域と前記側部高接合領域との乾燥時の接合強度の差が０．５Ｎ／５０ｍｍ以上である、請求項１又は２に記載の吸収性物品。
【請求項４】
前記中央低接合領域及び前記側部高接合領域には、ホットメルト接着剤が施されており、
前記中央低接合領域におけるホットメルト接着剤の坪量をＢ１とし、前記側部高接合領域におけるホットメルト接着剤の坪量をＢ２としたとき、Ｂ１に対するＢ２の比率であるＢ２／Ｂ１の値が１．２以上である、請求項１〜３の何れか一項に記載の吸収性物品。
【請求項５】
前記中央低接合領域にはホットメルト接着剤が施され、前記側部高接合領域にはヒートシールが施されている、請求項１〜４の何れか一項に記載の吸収性物品。
【請求項６】
吸収性コアを更に含み、該吸収性コアは、その長手方向に延びる折曲誘導部を有しており、
前記折曲誘導部は、平面視において前記中央低接合領域と重なる位置にある、請求項１〜５の何れか一項に記載の吸収性物品。
【請求項７】
吸収性コアを更に含み、着用者の排泄部及び着用者の腹側に配される腹側部、股間部に配される股下部及び背側に配される背側部を有しており、
前記吸収性コアは、高坪量領域と、該高坪量領域よりも相対的に坪量が低い低坪量領域とを有しており、
前記低坪量領域は、前記背側部に形成されており、且つ平面視において前記中央低接合領域と重なる位置にある、請求項１〜６の何れか一項に記載の吸収性物品。
【請求項８】
前記表面シートが２層以上の繊維層からなり、着用者の肌から最も近い位置に配される肌側繊維層と、該肌側繊維層に比して着用者の肌から遠い位置に配される非肌側繊維層とを有し、
前記肌側繊維層は、前記非肌側繊維層よりも繊維密度が高く、且つ前記スキンケア剤が施されている、請求項１〜７の何れか一項に記載の吸収性物品。
【手続補正２】
【補正対象書類名】明細書
【補正対象項目名】００１３
【補正方法】変更
【補正の内容】
【００１３】
おむつ１００は、外装体５と、該外装体５に固定されている吸収性本体１０とを具備する。外装体５は、腹側部Ａを形成する腹側シート部材５Ａと、背側部Ｂを形成する背側シート部材５Ｂとを有しており、一対のサイドシール部４，４においては、腹側シート部材５Ａと背側シート部材５Ｂとが接合されている。吸収性本体１０は、図１に示すとおり、腹側シート部材５Ａの幅方向Ｙの中央部と背側シート部材５Ｂの幅方向Ｙの中央部とに架け渡されて固定されている。吸収性本体１０は、腹側シート部材５Ａ及び背側シート部材５Ｂのそれぞれと重なる部分が、接着剤等の公知の接合手段により、全面的又は部分的に、両シート部材５Ａ，５Ｂと接合されている。
【手続補正３】
【補正対象書類名】明細書
【補正対象項目名】００２６
【補正方法】変更
【補正の内容】
【００２６】
エモリエント剤として用いられるスキンケア剤の具体例としては、例えば、流動パラフィン、シリコーンオイル、動植物油（オリーブ油、ホホバ油、ベニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ１２〜Ｃ２２脂肪酸、Ｃ１２〜Ｃ４４脂肪酸エーテル、Ｃ１２〜Ｃ２２脂肪アルコール、ワセリン、脂肪酸ソルビタンエステル（モノエステル、ジエステル、及びトリエステルのいずれでもよい。）、ポリオキシエチレン脂肪酸ソルビタンエステル（モノエステル、ジエステル、及びトリエステルのいずれでもよい。）、金属石験（ステアリン酸マグネシウム等）、ショ糖脂肪酸エステル、シクロデキストリン脂肪酸エステル、シリコーン、シリコーン系レジン、特開２００４−２５５１６４号公報又は特開２０１２−１４３５４３号公報に記載されている発明で使用されるエモリエント剤やエモリエント剤と固定化剤を含むローション組成物等が挙げられる。
上述の各種の疎水性スキンケア剤は、１種を単独で使用してもよいし、２種以上を併用してもよい。
【手続補正４】
【補正対象書類名】明細書
【補正対象項目名】００３３
【補正方法】変更
【補正の内容】
【００３３】
中央低接合領域２１及び側部高接合領域２３は、後述する〔接合強度の測定方法〕によって測定される接合強度によって、その範囲を特定することができる。
中央低接合領域２１におけるスキンケア剤領域は、表面シート１２の水との接触角の変化を確認することによって特定することができる。水との接触角の測定は、例えば特開２０１５−１４２７２１号公報の記載の方法に従って行うことができる。例えば、水溶性及び水分散性を有するスキンケア剤が施されたスキンケア剤領域では、表面シートの構成繊維と水との接触角が９０度未満となり、水溶性及び水分散性を有さないスキンケア剤が施されたスキンケア剤領域では、表面シートの構成繊維と水との接触角が９０度以上となる。スキンケア剤が水溶性及び水分散性を有するか否かは以下の方法により判定される。スキンケア剤が塗布されているシートを、当該シートの質量の１０倍量の水（液温２５℃）に浸漬し、２４時間放置した後、前記スキンケア剤が完全に溶解せず、且つ分散しない場合、前記スキンケア剤は水溶性及び水分散性を有さないと判定する。一方、２４時間放置した後、スキンケア剤が完全に溶解又は分散する場合、当該スキンケア剤は水溶性又は水分散性を有すると判定する。
【手続補正５】
【補正対象書類名】明細書
【補正対象項目名】００３７
【補正方法】変更
【補正の内容】
【００３７】
前記揉み試験評価は、下記のようにして行われる。
おむつにおいて、表面シートの幅方向中央域に生理食塩水を２５０ｇ注入した後、５分間静置する。次いで、花王株式会社製のメリーズ（登録商標）からファスニングテープを切り出し、該ファスニングテープの止着部を表面シートに貼り付け、その上に１ｋｇの錘を載せて１０秒静置する。次いで、ファスニングテープを表面シートから剥がし、表面シートと、該表面シートに接する部材との剥離を目視で確認する。以上の操作を５回繰り返し、前記剥離が４回以上確認された場合、表面シートと、該表面シートに接する部材とは剥離可能になっていると判断する。
【手続補正６】
【補正対象書類名】明細書
【補正対象項目名】００４７
【補正方法】変更
【補正の内容】
【００４７】
表面シート２が積層構造を有する場合、肌側繊維層は、非肌側繊維層よりも繊維密度が高く、且つスキンケア剤が施されていることが好ましい。斯かる構成により、毛管力によりスキンケア剤を肌側繊維層に留め易くして、スキンケア剤の肌への移行性を向上させることができる。このような効果をより確実に奏させる観点から、肌側及び非肌側繊維の繊維密度は、以下の範囲であることが好ましい。肌側繊維の繊維密度は、非肌側繊維の繊維密度に対して、好ましくは１．２５倍以上、より好ましくは１．５倍以上であり、また好ましくは８．０倍以下、より好ましくは７．０倍以下であり、また好ましくは１．２５倍以上８．０倍以下、より好ましくは１．５倍以上７．０倍以下である。肌側繊維の繊維密度は、好ましくは２５０本／ｍｍ2以上、より好ましくは２７０本／ｍｍ2以上であり、また好ましくは４００本／ｍｍ2以下、より好ましくは３８０本／ｍｍ2以下であり、また好ましくは２５０本／ｍｍ2以上４００本／ｍｍ2以下、より好ましくは２７０本／ｍｍ2以上３８０本／ｍｍ2以下である。非肌側繊維の繊維密度は、好ましくは５０本／ｍｍ2以上、より好ましくは７０本／ｍｍ2以上であり、また好ましくは２００本／ｍｍ2以下、より好ましくは１８０本／ｍｍ2以下であり、また好ましくは５０本／ｍｍ2以上２００本／ｍｍ2以下、より好ましくは７０本／ｍｍ2以上１８０本／ｍｍ2以下である。各繊維層の繊維密度は以下の方法により求めることができる。
【手続補正７】
【補正対象書類名】明細書
【補正対象項目名】００６５
【補正方法】変更
【補正の内容】
【００６５】
＜粘度の測定＞
音叉型振動式粘度計（本実施形態では代表的にＶＩＢＲＯ  ＶＩＳＣＯＭＥＴＥＲＣＪＶ５０００（株式会社エー・アンド・デイ社製）を使用）を用いて、表面シートに塗工する際のスキンケア剤の状態で粘度を測定する。具体的には、温度３６℃下で、スキンケア剤の粘度の測定を行う。スキンケア剤を所定温度に加熱して塗工する場合、該所定温度のまま測定を実施する。測定は３回繰り返し、その平均値を粘度として採用する。